(57)【要約】【課題】ペンキなどの液体が入った容器に引っ掛けたとき、液体に合わせて適量の位置に毛束を浸すことができる刷毛を提供する。【解決手段】刷毛１は、多数の毛が束ねられた毛束１０と、毛束１０に対して斜めに取り付けられた柄２０とを備え、柄２０の持ち手部分２２の下面部Ｕに複数の溝又は凹部Ｍ１，Ｍ２，Ｍ３，Ｍ４，Ｍ５が形成されている。【選択図】図１
0003234024.tif 000002
【実用新案登録請求の範囲】
【請求項１】
多数の毛が束ねられた毛束と、
前記毛束に対して斜めに取り付けられた柄とを備え、
前記柄の持ち手部分の下面部に複数の溝又は凹部が形成されていることを特徴とする刷毛。
【請求項２】
前記複数の溝又は凹部は、前記毛束の毛先の位置を水平に保ったとき、略鉛直方向に形成されている請求項１に記載の刷毛。
【請求項３】
前記複数の溝又は凹部の深さは、前記柄の先端側から基端側にいくにつれ、徐々に浅くなるように形成されている請求項１又は２に記載の刷毛。
【考案の詳細な説明】
【技術分野】
【０００１】
本考案は、塗装などに用いられる刷毛に関する。
【背景技術】
【０００２】
一般に、塗装などの作業では、ペンキなどの液体が入った容器と刷毛が用いられる。刷毛とは、柄の先端に多数の毛（毛束）を取り付けた道具であり、外観上の形態から、平バケや寸胴バケ、筋交いバケ（折違バケ）、ラスターバケなどがある。
【０００３】
一般的な刷毛を容器に入れた場合、刷毛が容器の底まで沈むため、容器に沢山のペンキが入っていると、持ち手部分まで汚れてしまう。また、必要以上にペンキが毛束に付着し、洗浄に要する時間、費用がかかってしまう。さらに、ペンキが付着した刷毛は置き場所に困るだけでなく、刷毛の傷みが早まる問題もある。
【０００４】
そこで、ペンキが入った容器に引っ掛けることができる刷毛が提案されている（例えば、特許文献１，２参照）。特許文献１，２に記載の刷毛によれば、毛束に近い部分に溝が形成されているため、その溝を容器の端に引っ掛けることができる。これにより、刷毛が容器の底まで沈むことを防止することが可能である。
【先行技術文献】
【特許文献】
【０００５】
【特許文献１】実開平４−１２６７７７号公報
【特許文献２】実用新案登録第３２２２０６３号公報
【考案の概要】
【考案が解決しようとする課題】
【０００６】
しかしながら、特許文献１，２に記載の刷毛によると、容器に入っているペンキの量が少ない場合は、毛束をペンキに浸すことができない。そのため、塗装などの作業中に毛束が乾いてしまう場合があり、その場合は、ペンキを塗る際にわざわざ毛束をペンキに浸す必要がある。
【０００７】
本考案は、ペンキなどの液体が入った容器に引っ掛けたとき、液体に合わせて適量の位置に毛束を浸すことができる刷毛を提供することを目的とする。
【課題を解決するための手段】
【０００８】
本考案における刷毛は、多数の毛が束ねられた毛束と、前記毛束に対して斜めに取り付けられた柄とを備え、前記柄の持ち手部分の下面部に複数の溝又は凹部が形成されている。
【考案の効果】
【０００９】
本考案によれば、ペンキなどの液体が入った容器に引っ掛けたとき、液体に合わせて適量の位置に毛束を浸すことができる刷毛を提供することが可能である。
【図面の簡単な説明】
【００１０】
【図１】本考案の実施の形態における刷毛の正面図である。
【図２】本考案の実施の形態における刷毛の斜視図である。
【図３】本考案の実施の形態における刷毛の使用状態を示す斜視図である。
【図４】本考案の実施の形態における刷毛の使用状態を示す模式図である。
【考案を実施するための形態】
【００１１】
以下、図面を参照して本考案の実施の形態を説明する。ただし、以下に説明する実施の形態は、あくまでも例示である。すなわち、以下に説明する実施の形態は、その趣旨を逸脱しない範囲で種々変形して実施することができる。なお、図面において、同一符号を付した部分は、特に断らない限り、同一若しくは同様の部分を表す。
【００１２】
［全体構成］
図１は、本考案の実施の形態における刷毛１の正面図である。この刷毛１は、例えば、塗装などに用いられる筋交いバケ（折違バケ）であって、図１に示すように、多数の毛が束ねられた毛束１０と、毛束１０に対して斜めに取り付けられた柄２０とを備えている。
【００１３】
毛束１０は、獣毛や化学繊維などで構成することができる。毛元側は１つに束ねられ、毛先１１側は適当な寸法、形状に整えられている。
【００１４】
柄２０は、金属、木、プラスチックなどで構成することができる。ここでは、１枚の木で構成された柄２０を先端２１側から二つ割りにし、その間に毛束１０が挟み込まれたものを例示している。この先端２１の周囲には、例えば針金２５が巻き付けられ、しっかりと毛束１０を保持する構造になっている。
【００１５】
柄２０の持ち手部分２２の下面部Ｕには、複数の溝Ｍ１，Ｍ２，Ｍ３，Ｍ４，Ｍ５が形成されている。「持ち手部分２２」とは、柄２０のうち主に手で握られる部分であり、先端２１および基端２３を除いた部分と言い換えることもできる。「先端２１」とは、毛束１０を保持している側の端部であり、この例では、針金２５が巻き付けられている位置よりも下の部分である。「基端２３」とは、先端２１と反対側の端部であり、この例では、二股に分かれていない部分である。「下面部Ｕ」とは、下面の部分という意味であるが、正面（図１）から見た場合は、向かって右側になる方向から見える面の部分である。
【００１６】
［二股形状］
図２は、本考案の実施の形態における刷毛１の斜視図である。図２では、二股になった柄２０の正面側の構成要素の符号に「ａ」、背面側の構成要素の符号に「ｂ」を付けている。
【００１７】
すなわち、図２に示すように、柄２０の先端２１ａ，２１ｂの間に毛束１０が挟み込まれている。柄２０の持ち手部分２２ａ，２２ｂの下面部Ｕには、正面側と背面側それぞれの対応する位置に同形状の溝が形成されている。具体的には、毛束１０に近い位置から順に、溝Ｍ１ａ，Ｍ１ｂと、溝Ｍ２ａ，Ｍ２ｂと、溝Ｍ３ａ，Ｍ３ｂと、溝Ｍ４ａ，Ｍ４ｂと、溝Ｍ５ａ，Ｍ５ｂが形成されている。柄２０の持ち手部分２２ａ，２２ｂが基端２３側で一体となり、この基端２３に円孔２４が形成されている。塗装などの作業を行わないときは、円孔２４をフックなどに掛けて刷毛１を吊り下げておけば、毛束１０に曲がり癖が付くことを防止できる。
【００１８】
［使用状態］
図３は、本考案の実施の形態における刷毛１の使用状態を示す斜視図である。ここでは、ペンキなどの液体４０が入った容器３０の縁３１に刷毛１の溝Ｍ３を引っ掛けている様子を例示している。図３に示すように、円筒状の容器３０の開口部には円形の縁３１が形成されているため、所望の位置で簡単に刷毛１の溝Ｍ３を引っ掛けることができる。このように溝Ｍ３を引っ掛ければ、刷毛１が容器３０の底まで沈むことを防止することが可能である。そのため、持ち手部分２２が汚れなくて済み、洗浄に要する時間、費用の削減を図ることができ、刷毛１の置き場所にも困らない。
【００１９】
図４は、容器３０に入った液体４０の量と毛束１０の位置との関係を示す模式図である。図４（ａ）に示すように、容器３０に多くの液体４０が入っている場合は、毛束１０に近い位置の溝（例えば溝Ｍ２）を容器３０の縁３１に引っ掛けるのが望ましい。一方、図４（ｂ）に示すように、容器３０に少ししか液体４０が入っていない場合は、毛束１０から遠い位置の溝（例えば溝Ｍ４）を容器３０の縁３１に引っ掛けるのが望ましい。このようにすれば、容器３０に入っている液体４０の量が多くても少なくても、毛束１０だけを液体４０に浸すことができる。そのため、塗装などの作業中に毛束１０が乾いてしまう問題を解決することができ、塗装などの作業効率を格段に向上させることができる。
【００２０】
［複数の溝］
以下、複数の溝Ｍ１，Ｍ２，Ｍ３，Ｍ４，Ｍ５について更に詳しく説明する。既に説明したように、柄２０の持ち手部分２２の下面部Ｕには、複数の溝Ｍ１，Ｍ２，Ｍ３，Ｍ４，Ｍ５が形成されている。
【００２１】
例えば、複数の溝Ｍ１，Ｍ２，Ｍ３，Ｍ４，Ｍ５は、毛束１０の毛先１１の位置を水平に保ったとき、略鉛直方向に形成されていてもよい（図１参照）。このようにすれば、ペンキなどの液体４０が入った容器３０に刷毛１を引っ掛けたとき、毛束１０の毛先１１の位置を水平に保ちやすくなるため、液体４０が柄２０に付きにくくなる。
【００２２】
また、複数の溝Ｍ１，Ｍ２，Ｍ３，Ｍ４，Ｍ５の深さは、柄２０の先端２１側から基端２３側にいくにつれ、徐々に浅くなるように形成されていてもよい。このようにすれば、柄２０の先端２１側に比べて基端２３側が細くなっている場合でも、柄２０の強度を保ったうえで、柄２０に複数の溝Ｍ１，Ｍ２，Ｍ３，Ｍ４，Ｍ５を形成することができる。
【００２３】
なお、ここでは、５つの溝Ｍ１，Ｍ２，Ｍ３，Ｍ４，Ｍ５が形成されている場合を例示しているが、本考案はこれに限定されるものではない。すなわち、溝の数は、柄２０の長さなどに応じて適宜変更することが可能である。
【００２４】
また、ここでは、比較的深いＵ字状の溝Ｍ１，Ｍ２，Ｍ３，Ｍ４，Ｍ５を例示しているが、溝Ｍ１，Ｍ２，Ｍ３，Ｍ４，Ｍ５の形状も適宜変更することが可能である。容器３０に引っ掛けることができればよいため、溝ではなく、浅い窪み（凹部）であってもよい。
【００２５】
また、ここでは、柄２０の持ち手部分２２の下面部Ｕに複数の溝Ｍ１，Ｍ２，Ｍ３，Ｍ４，Ｍ５が形成されていることとしているが、持ち手部分２２の下面部Ｕ以外に溝が形成されていてもよい。すなわち、持ち手部分２２の下面部Ｕに複数の溝Ｍ１，Ｍ２，Ｍ３，Ｍ４，Ｍ５が形成されてさえいればよく、その他の部分（先端２１や基端２３など）に追加で溝が形成されていても構わない。
【００２６】
［本考案の特徴的構成とその効果］
以上説明したように、本考案の実施の形態における刷毛１は、多数の毛が束ねられた毛束１０と、毛束１０に対して斜めに取り付けられた柄２０とを備え、柄２０の持ち手部分２２の下面部Ｕに複数の溝又は凹部Ｍ１，Ｍ２，Ｍ３，Ｍ４，Ｍ５が形成されている。このようにすれば、複数の溝又は凹部Ｍ１，Ｍ２，Ｍ３，Ｍ４，Ｍ５のいずれかをペンキなどの液体４０が入った容器３０に引っ掛けることで、液体４０に合わせて適量の位置に毛束１０を浸すことができる。
【００２７】
例えば、複数の溝又は凹部Ｍ１，Ｍ２，Ｍ３，Ｍ４，Ｍ５は、毛束１０の毛先１１の位置を水平に保ったとき、略鉛直方向に形成されていてもよい。このようにすれば、ペンキなどの液体４０が入った容器３０に刷毛１を引っ掛けたとき、毛束１０の毛先１１の位置を水平に保ちやすくなるため、液体４０が柄２０に付きにくくなる。
【００２８】
また、複数の溝又は凹部Ｍ１，Ｍ２，Ｍ３，Ｍ４，Ｍ５の深さは、柄２０の先端２１側から基端２３側にいくにつれ、徐々に浅くなるように形成されていてもよい。このようにすれば、柄２０の先端２１側に比べて基端２３側が細くなっている場合でも、柄２０の強度を保ったうえで、柄２０に複数の溝又は凹部Ｍ１，Ｍ２，Ｍ３，Ｍ４，Ｍ５を形成することができる。
【００２９】
なお、上記の説明では、二股になった柄２０を例示したが、本考案はこれに限定されるものではない。すなわち、柄２０の持ち手部分２２の下面部Ｕに複数の溝又は凹部Ｍ１，Ｍ２，Ｍ３，Ｍ４，Ｍ５が形成されている以上、柄２０が二股であるかどうかにかかわらず、本考案の技術的思想に属することは言うまでもない。
【産業上の利用可能性】
【００３０】
本考案の実施の形態における刷毛は、塗装用の刷毛など、容器に入った液体に毛束を浸すことが必要な刷毛全般に利用することができる。
【符号の説明】
【００３１】
１  刷毛
１０  毛束
１１  毛先
２０  柄
２１  先端
２２  持ち手部分
２３  基端
２４  円孔
２５  針金
３０  容器
３１  縁
４０  液体
Ｍ１，Ｍ２，Ｍ３，Ｍ４，Ｍ５  溝又は凹部
Ｕ  下面部
【図１】
0003234024.tif 000003
【図２】
0003234024.tif 000004
【図３】
0003234024.tif 000005
【図４】
0003234024.tif 000006